(57)【要約】【課題】本発明は、医療医薬、食品の分野において、包装袋を構成する積層フィルムに特別な異形のシール形状を施すことがなく、更には特別な包装形状とすることなく形状に制約を受けずに、注水口部と注出口部を備える包装袋を吊り下げフックなどに吊り下げて、注水口から注水することにより内容物を希釈し、注出口にカテーテルなどのゴム製チューブを繋いで輸液や栄養剤を体内に投与するために好適に用いられる口栓付包装袋を提供する。【解決手段】注水口部と注出口部を備え、その注出口部の注出口から内容物を注出する口栓付包装容器であって、前記注水口部の注水口キャップ部には吊り下げ部と、前記注出口部の注出口には注出口キャップ部とを具備することを特徴とする口栓付包装袋である。【選択図】図１
2006199303.tif 000002
【特許請求の範囲】
【請求項１】
注水口部と注出口部を備え、その注出口部の注出口から内容物を注出する口栓付包装容器であって、
前記注水口部の注水口キャップ部には吊り下げ部と、前記注出口部の注出口には注出口キャップ部とを具備することを特徴とする口栓付包装袋。
【請求項２】
前記注水口部は、吊り下げ部を付設された注水口キャップ部、インナーシール部、スパウト部からなることを特徴とする請求項１記載の口栓付包装袋。
【請求項３】
前記注出口キャップ部には注出口部の注出口に嵌合可能な突起部が付設されており、前記注出口をその突起部にて再封止可能なことを特徴とする請求項１または２記載の口栓付包装袋。
【請求項４】
前記吊り下げ部と注水口キャップ部が一体成形されてなることを特徴とする請求項１〜３のいずれか１項に記載の口栓付包装袋。
【請求項５】
請求項１〜４いずれか１項に記載の口栓付包装袋が、レトルト（加熱加圧）用包装袋であることを特徴とする口栓付包装袋。
【発明の詳細な説明】
【技術分野】
【０００１】
本発明は、医療医薬、食品の分野において、注水口部と注出口部を備える包装袋の吊り下げ部を吊り下げフックなどに吊り下げて、注水口から注水することにより内容物を希釈し、注出口にカテーテルなどのゴム製チューブを繋いで輸液や栄養剤を体内に投与するために好適に用いられる口栓付包装袋に関する。
【背景技術】
【０００２】
従来より、輸液や栄養剤などの注出口にゴム製チューブをつないで体内に薬剤を投与する口栓付包装袋は、積層包装フィルムの端縁部に注水口と注出口を設け、注出口の相対する位置の積層包装フィルムのヒートシール部に貫通孔（パンチ穴）を施すことで吊り下げ部を形成していた。
【０００３】
そのため、積層包装フィルムの形状により吊り下げ部の位置が限定されたり、貫通孔の穴の大きさを確保するために異形シールを施したり、貫通孔の穴が小さくて引っかける際のハンドリングが悪いなどの問題点があった。
【０００４】
更には、貫通孔（パンチ穴）の位置ずれなどによりレトルト時の液漏れや、吊り下げ時に貫通孔の破損により包装袋の落袋が見られた。
【発明の開示】
【発明が解決しようとする課題】
【０００５】
本発明は、上記の従来技術の問題を解決するためになされたものであり、医療医薬、食品の分野において、包装袋を構成する積層フィルムに特別な異形のシール形状を施すことがなく、更には特別な包装形状とすることなく形状に制約を受けずに、注水口部と注出口部を備える包装袋を吊り下げフックなどに吊り下げて、注水口から注水することにより内容物を希釈し、注出口にカテーテルなどのゴム製チューブを繋いで輸液や栄養剤を体内に投与するために好適に用いられる口栓付包装袋を提供することを課題としている。
【課題を解決するための手段】
【０００６】
上記課題を解決するために、すなわち、請求項１の発明は、注水口部と注出口部を備え、その注出口部の注出口から内容物を注出する口栓付包装容器であって、
前記注水口部の注水口キャップ部には吊り下げ部と、前記注出口部の注出口には注出口キャップ部とを具備することを特徴とする口栓付包装袋である。
【０００７】
請求項２の発明は、前記注水口部は、吊り下げ部を付設された注水口キャップ部、インナーシール部、スパウト部からなることを特徴とする請求項１記載の口栓付包装袋である。
【０００８】
請求項３の発明は、前記注出口キャップ部には注出口部の注出口に嵌合可能な突起部が付設されており、前記注出口をその突起部にて再封止可能なことを特徴とする請求項１または２記載の口栓付包装袋である。
【０００９】
請求項４の発明は、前記吊り下げ部と注出口キャップ部が一体成形されてなることを特徴とする請求項１〜３のいずれか１項に記載の口栓付包装袋である。
【００１０】
請求項５の発明は、請求項１〜４いずれか１項に記載の口栓付包装袋が、レトルト（加熱加圧）用包装袋であることを特徴とする口栓付包装袋である。
【発明の効果】
【００１１】
本発明の口栓付包装袋を構成する積層フィルムに特別な異形のシール形状を施すことがなく、更には特別な包装形状とすることなく形状に制約を受けずに、注水口部と注出口部を備える包装袋に吊り下げ部を形成することができる。包装袋を吊り下げフックなどに吊り下げて、注水、注出作業を行うことができる。また、注水作業後注水口キャップ部を注水口にリキャップ（再封止）し、吊り下げが可能であり、ハンドリングの面でも非常に優れている。
【００１２】
本発明の口栓付包装袋は、医療医薬、食品の分野において、包装袋の吊り下げ部を吊り下げフックなどに吊り下げて、注水口から注水することにより内容物を希釈し、注出口にカテーテルなどのゴム製チューブを繋いで輸液や栄養剤を体内に投与するための包装袋として好適に用いられる。
【００１３】
本発明の口栓付包装袋は、廃棄時、注出口を吊り下げ部に通すことでゴミの減容化が可能である。
【発明を実施するための最良の形態】
【００１４】
以下に、本発明を実施するための最良の形態について具体的に説明する。図１は、４方製袋品の短辺部に注水口部、注出口部を設けた本発明の口栓付包装袋の一例を示す正面図である。図２は、４方製袋品の角部に注水口部、注出口部を設けた本発明の口栓付包装袋の他の例を示す正面図である。図３は、注水操作時の注水口部拡大図である。図４は、注出操作時の注出口部拡大図である。
【００１５】
本発明の一例としての口栓付包装袋１ａは、四方製袋の短辺部の一辺に注水口部１２の注水口２を他方の一辺に注出口部１３の注出口３を備え、その他長辺部は熱融着層どうしがヒートシールされヒートシール部８を形成し袋形状をなしている。注出口３と注水口２は対向する位置に設けられており、注水口キャップ部４に一体成形されて付設されている吊り下げ部４ａが吊り下げフック等に吊り下げることができる。注出口部１３の注出口キャップ部７はねじ切った反対側に突起部１１を設けており、その突起部１１は注出口３と嵌合することでリクローズ（再封止）が可能となる。更に、切り取られた注出口キャップ部７は脱落防止、紛失防止のため連結部１０を介して、注出口３部材と繋がっている。
【００１６】
本発明の他の例としての口栓付包装袋１ｂは、図２に示すように、注水口部１２の注水口２が長辺部と短辺部の交点角部に設けられており、対向する位置に注出口部１３の注出口３が設けられている構成からなるものである。
【００１７】
図３は、注水操作時の注水口部１２の拡大図であり、注水する際には吊り下げ部４ａが付設されている注水口キャップ部４を外し、インナーシール部５を剥離し、所望の容器１５で注水作業を行う。使用したインナーシール部５は廃棄するが、吊り下げ部４ａが付設されている注水口キャップ部４は注水作業後にリキャップする。インナーシール部５はレトルトなどの加熱加圧処理をする際の密封性を付与するためのものである。
【００１８】
図４は、注出時の注出口部１３の拡大図であり、注出口キャップ部７を注出口３よりねじり切り、それによって開口した注出口３にカテーテル９のようなゴム状チューブをつなげる。カテーテルをつなげた後、吊り下げ部（図示せず）を吊り下げフック等に吊り下げ内容物の自重により内容物を注出し体内に投与する。
【００１９】
本発明の口栓付包装袋は、レトルト（加熱加圧）用包装袋として使用される。そして、医療医薬、食品の分野において、包装袋を構成する積層フィルムに特別な異形のシール形
状を施すことがなく、更には特別な包装形状とすることなく形状に制約を受けずに、包装袋を吊り下げフックなどに吊り下げて、注水口側から注水することにより内容物を希釈し、注出口にカテーテルなどのゴム製チューブを繋いで輸液や栄養剤を体内に投与するために好適に用いられる
本発明の口栓付包装袋をレトルト（加熱加圧）用包装袋として使用する場合は、包装袋を構成する積層フィルムはレトルト耐性を有する材料からなるものであれば特に限定されず、一般に包装分野で使用されるレトルト耐性を有する積層フィルムが使用される。
【図面の簡単な説明】
【００２０】
【図１】本発明の口栓付包装袋の一例を示す模式正面図である。
【図２】本発明の口栓付包装袋の他の例を示す模式正面図である。
【図３】本発明の口栓付包装袋における注水口部を拡大して示す説明図である。
【図４】本発明の口栓付包装袋における注出口部を拡大して示す説明図である。
【符号の説明】
【００２１】
１ａ、１ｂ：口栓付包装袋
２：注水口
３：注出口
４：注水口キャップ部
４ａ：吊り下げ部
５：インナーシール部
６：スパウト部
７：注出口キャップ部
８：ヒートシール部
９：カテーテル
１０：連結部
１１：突起部
１２：注水口部
１３：注出口部
１４：内容物
１５：容器
【図１】
2006199303.tif 000003
【図２】
2006199303.tif 000004
【図３】
2006199303.tif 000005
【図４】
2006199303.tif 000006